(57)【要約】【課題】  既製靴下でありながら、顧客の脚の形状の個人差を効率的にカバーすることができる靴下の設計方法を提供する。【解決手段】  ふくらはぎ高の寸法と、ふくらはぎ囲の引張寸法を、それぞれ所定の範囲で段階的に変化させるサイズ指標を設定し、ふくらはぎ高のサイズ指標と、ふくらはぎ囲のサイズ指標の組み合わせにより、一つの足長サイズに対して形状の異なる複数種類の靴下を設計する方法を用いる。【効果】  一つの足長サイズに対して、ふくらはぎ高とふくらはぎ囲を変化させた形状の異なる複数種類の靴下を提供できるため、顧客は、自己のふくらはぎ高やふくらはぎ囲のデータを把握した上で、各サイズ指標を手がかりとして、自分の脚に最もフィットする形状の靴下を選択できる。【選択図】        図１
2005113321.tif 000002
【特許請求の範囲】
【請求項１】
ふくらはぎ高の寸法と、ふくらはぎ囲の引張寸法を、それぞれ所定の範囲で段階的に変化させるサイズ指標を設定し、ふくらはぎ高のサイズ指標と、ふくらはぎ囲のサイズ指標の組み合わせにより、一つの足長サイズに対して形状の異なる複数種類の靴下を設計する方法。
【請求項２】
足首囲の引張寸法をＸ（ｍｍ）、ふくらはぎ囲の引張寸法をＹ（ｍｍ）とするとき、ふくらはぎ囲の引張寸法を、Ｙ＝ａＸ−ｂ（ａは、１．６以上１．８５以下の定数、ｂは、−１０以上３０以下の定数）の計算式で求められる寸法とすることを特徴とする請求項１記載の靴下の設計方法。
【請求項３】
２３〜２７ｃｍの各足長サイズに対し、ふくらはぎ高のサイズ指標を、短めサイズ、平均サイズ、長めサイズの３段階に設定し、短めサイズの中央値は２５５〜２９５ｍｍの範囲、平均サイズの中央値は２９０〜３６０ｍｍの範囲、長めサイズの中央値は３２５〜３６５ｍｍの範囲とすることを特徴とする請求項１又は２記載の靴下の設計方法。
【請求項４】
ふくらはぎ囲のサイズ指標を、３００〜４００ｍｍの範囲となる細めサイズ、３５０〜４５０ｍｍの範囲となる平均サイズ、４００〜５００ｍｍの範囲となる太めサイズの、３段階に設定することを特徴とする請求項１〜３の何れかに記載の靴下の設計方法。
【請求項５】
請求項１〜４の何れかに記載の方法により設計された靴下であって、靴下の開口部に、ふくらはぎ高のサイズ指標と、ふくらはぎ囲のサイズ指標を示す特定の色彩の糸を挿入したことを特徴とする靴下。
【発明の詳細な説明】
【技術分野】
【０００１】
本発明は、脚の形状の個人差に拘わらず、ずれ落ち、弛みの少ない、フィット性に優れた靴下を効率的に提供できる靴下のサイズ設計方法と、この設計方法に基づいて設計された靴下に関するものである。
【背景技術】
【０００２】
従来の靴下は、２２〜２４ｃｍ、２４〜２６ｃｍ、２６〜２８ｃｍのように、足長に基いてサイズが設計されており、顧客は、足長のみを基準として、靴下を選択せざるを得なかった。
【０００３】
しかし、人間の脚は、足長が同じであっても、ふくらはぎ部の太さや高さは、人によって個人差がある。そのため、従来の靴下は、脚の細い人が着用すると、足長は適切であっても、足首からふくらはぎに至る部分に弛みや皺が生じたり、容易にずれ落ちたりした。また、脚の太い人が着用すると、ふくらはぎの部分の締め付けが強すぎたり、靴下をふくらはぎ部まで十分に引き上げることができず、ずれ落ち易い状態で着用せざるを得なかった。
【０００４】
上記の問題に対しては、個別的な対策がなされてきた。例えば、ずり落ちに関しては、スパンデックス糸を挿入して圧力を増したり、脚部との接触部にシリコン、ゴム等の滑り止め材を付着させたものが考案された。また、ゆったりした履き心地を得るために、ゴム糸を抜いたものや、編目のループを大きくしたもの、特定の部位に編み込む添糸のテンションを調節したもの等が考案された。
【特許文献１】特開平１０−４６４０３号
【０００５】
具体的には、例えば特許文献１の第２頁には、ふくらはぎ部を編成するときには、添糸として編み込む伸縮性糸のテンションを弱くし、足首部を編成するときには、添糸のテンションを強くした構成の靴下が開示されている。
【０００６】
しかしながら、上記した従来の靴下は、スパンデックス糸の挿入や、シリコン、ゴム等の滑り止め材の付着、編目ループの変更、添糸の挿入等を必要とし、素材や編設計が限定されてしまうという問題点があった。
また、例えば、ふくらはぎ部に添糸を挿入するにしても、ふくらはぎ部の高さには個人差があるため、その人にとって最適な添糸の挿入箇所は、それぞれ異なっているという問題点もあった。すなわち、従来の靴下は、脚部の長さに関しては、クルー丈、ハイソックス丈といった商品アイテムとしての大まかな区分けがあるのみで、微妙な個人差を考慮して設計されたものは存在しなかった。
【０００７】
勿論、いわゆるオーダーメイドであれば、それぞれの顧客に対して最も適した形状の靴下を提供できるが、オーダーメイドでは大量生産には対応できず、製品コストも高くならざるを得ないことはいうまでもない。本発明は、既製靴下でありながら、脚の形状の個人差に拘わらず、ずれ落ち、弛みの少ない、フィット性に優れた靴下を効率的に提供できる靴下の設計方法を提供するものである。
【０００８】
本発明者等は、人の脚部のサイズに関するＨＱＬデータや実測データの分析を重ねた結果、先ず、足首囲に対するふくらはぎ囲の比率の平均値は、約１．７倍であることを確認した。
より正確には、ある実測データに基けば、足首囲をＸ（ｍｍ）とした場合、ふくらはぎ囲Ｙ（ｍｍ）は、Ｙ＝１．７５２２Ｘ−１０．７３４の計算式で求められること、また、これを性別、年齢等を変更した他の実測データにも適合するように、定数の部分に範囲を持たせるならば、Ｙ＝ａＸ−ｂ（ａは、１．６以上１．８５以下の定数、ｂは、−１０以上３０以下の定数）の計算式で求められることを見出した。
【０００９】
その上で、本発明者等は、一つの足長サイズに対し、ふくらはぎ高の寸法と、ふくらはぎ囲の引張寸法を、それぞれ所定の範囲で段階的に変化させたサイズ指標が必要であることを見出し、本発明を完成させた。
【発明の開示】
【発明が解決しようとする課題】
【００１０】
解決しようとする課題は、既製靴下でありながら、顧客の脚の形状の個人差を効率的にカバーすることができる靴下の設計方法を提供する点にある。
【課題を解決するための手段】
【００１１】
本発明は、ふくらはぎ高の寸法と、ふくらはぎ囲の引張寸法を、それぞれ所定の範囲で段階的に変化させるサイズ指標を設定し、ふくらはぎ高のサイズ指標と、ふくらはぎ囲のサイズ指標の組み合わせにより、一つの足長サイズに対して形状の異なる複数種類の靴下を設計することを最も主要な特徴とする。
【発明の効果】
【００１２】
本発明によれば、一つの足長サイズに対して、ふくらはぎ高とふくらはぎ囲を変化させた形状の異なる複数種類の靴下を提供できるため、顧客は、自己のふくらはぎ高やふくらはぎ囲のデータを把握した上で、各サイズ指標を手がかりとして、自分の脚に最もフィットする形状の靴下を選択できるという利点がある。
【発明を実施するための最良の形態】
【００１３】
本発明は、ふくらはぎ高の寸法と、ふくらはぎ囲の引張寸法を、それぞれ所定の範囲で段階的に変化させるサイズ指標を設定し、ふくらはぎ高のサイズ指標と、ふくらはぎ囲のサイズ指標の組み合わせにより、一つの足長サイズに対して形状の異なる複数種類の靴下を設計する方法である。
【００１４】
前記本発明において、足首囲の引張寸法をＸ（ｍｍ）、ふくらはぎ囲の引張寸法をＹ（ｍｍ）とするとき、ふくらはぎ囲の引張寸法を、Ｙ＝ａＸ−ｂ（ａは、１．６以上１．８５以下の定数、ｂは、−１０以上３０以下の定数）の計算式で求められる寸法とすれば、ふくらはぎ囲の足首囲に対する比率を、性別、年齢等を変更した多数の実測データに基づく合理的な値とすることができ、殆ど全ての人に対してフィット性に優れる靴下を選択してもらうことが可能となるので、好適である。
【００１５】
この場合において、ふくらはぎ囲の引張寸法を、足首囲の引張寸法の約１．７倍にするための手段は、特に限定をするものではない。
例えば、ふくらはぎ部を、１ウェールごとに表目と裏目を交互に配列した１×１の畦編みで編成するとともに、向こうずね部と、ふくらはぎ部の下から足首部に至る部分は、裏目よりも表目の配列が多い、例えば３×１の畦編みで編成することにより、ふくらはぎ部の伸縮性のみを向上させることができる。また、ふくらはぎ部の下から足首部に至る部分の編目の度目を、足首部に向かうに従って段階的に小さくすることにより、ふくらはぎ部の伸縮性を向上させても良い。
【００１６】
また、前記本発明において、２３〜２７ｃｍの各足長サイズに対し、ふくらはぎ高のサイズ指標を、短めサイズ、平均サイズ、長めサイズの３段階に設定し、短めサイズの中央値は２５５〜２９５ｍｍの範囲、平均サイズの中央値は２９０〜３６０ｍｍの範囲、長めサイズの中央値は３２５〜３６５ｍｍの範囲とすれば、顧客のニーズに十分に答えることができる上、サイズ指標が過剰に細かくなることもないため、好適である。また、ふくらはぎ囲のサイズ指標についても、同様の理由から、３００〜４００ｍｍの範囲となる細めサイズ、３５０〜４５０ｍｍの範囲となる平均サイズ、４００〜５００ｍｍの範囲となる太めサイズの、３段階に設定することが、好適である。
【００１７】
また、前記本発明により設計された靴下において、靴下の開口部に、ふくらはぎ高のサイズ指標と、ふくらはぎ囲のサイズ指標を示す特定の色彩の糸を挿入すれば、顧客は、その靴下のサイズ指標を、視覚的に容易に判別することができるので、好適である。
【実施例】
【００１８】
以下、本発明の靴下の設計方法及び靴下を実施例に基いて説明する。
図１は、１０７名のサンプルの足首囲とふくらはぎ囲のデータを実測し、これをグラフ上にプロットし、回帰線を求めたものである。その結果、図１の回帰線が示すように、足首囲Ｘ（ｍｍ）に対するふくらはぎ囲Ｙ（ｍｍ）の比率は、Ｙ＝１．７５２２ｘ−１０．７３４の関係が認められた。そこで、本実施例では、ふくらはぎ囲の引張寸法の、足首囲の引張寸法に対する比率は、図１の回帰線により求められる値（約１．７倍）とすることとした。
【００１９】
本実施例では、ふくらはぎ囲の引張寸法を、足首囲の約１．７倍とする手段として、ふくらはぎ部を、１ウェールごとに表目と裏目を交互に配列した１×１の畦編みで編成するとともに、向こうずね部と、ふくらはぎ部の下から足首部に至る部分は、３×１の畦編みで編成する方法を採用した。
このようにすれば、ふくらはぎ部は１×１の畦編みにより伸縮性が大きくなるととともに、向こうずね部と、ふくらはぎ部の下から足首部に至る部分は、３×１の畦編みにより伸縮性が小さくなり、足首部分の締め付けを強くすることができる。従って、ずれ落ち、弛みが少なく、フィット性に優れる靴下を提供することができる。
【００２０】
また、本実施例の靴下は、クルーよりは長く、ハイソックスよりは短い丈の、ミッドクルーソックスとして構成した。一般に最も流通しているクルー丈のソックスよりも、ふくらはぎ部の領域が広いミッドクルーソックスを用いる方が、本発明の実施には適しているからである。
【００２１】
その上で、本実施例では、表１に示すように、ふくらはぎ囲の寸法が３００〜４００ｍｍ、中央値が３５０ｍｍとなる細めサイズ、ふくらはぎ囲の寸法が３５０〜４５０ｍｍ、中央値が４００ｍｍとなる平均サイズ、ふくらはぎ囲の寸法が４００〜５００ｍｍ、中央値が４５０ｍｍとなる太めサイズの、３段階となるように、ふくらはぎ囲のサイズ指標を設定した。なお、靴下の足長は、２３〜２７ｃｍの範囲としている、また、表１では、便宜上、細めサイズを「１Ｄ」、平均サイズを「２Ｄ」、太めサイズを「３Ｄ」と表示している。
【００２２】
【表１】
2005113321.tif 000003
【００２３】
図１のグラフ中、「１Ｄ」「２Ｄ」「３Ｄ」の符号で示した四角枠は、上記した各サイズ指標によってカバーできる範囲を表している。図１により明らかなように、本実施例の３段階のサイズ指標を採用すれば、殆ど全ての人に対してフィット性に優れる靴下を選択してもらうことが可能となる。
【００２４】
図２は、１０７名の足長とふくらはぎ高のデータを実測し、これをグラフ上にプロットし、回帰線を求めたものである。その結果、図２の回帰線が示すように、足長をＸ（ｍｍ）とするとき、ふくらはぎ高Ｙ（ｍｍ）は、Ｙ＝０．９８０１Ｘ＋６２．７３の関係にあることが認められた。その上で、ふくらはぎ高に関しては、足長毎に以下のサイズ指標を設定した。
【００２５】
先ず、足長サイズが２３ｃｍの靴下に対しては、表２に示すように、ふくらはぎ高の寸法が２２０〜２９０ｍｍ、中央値が２５５ｍｍとなる短めサイズ、ふくらはぎ高の寸法が２５０〜３３０ｍｍ、中央値が２９０ｍｍとなる平均サイズ、ふくらはぎ高の寸法が２９０〜３６０ｍｍ、中央値が３２５ｍｍとなる長めサイズの、３段階となるように、ふくらはぎ高のサイズ指標を設定した。なお、表２では、便宜上、短めサイズを「１Ｈ」、平均サイズを「２Ｈ」、長めサイズを「３Ｈ」と表示している。
【００２６】
【表２】
2005113321.tif 000004
【００２７】
また、同様に、足長サイズ２５ｃｍ、２７ｃｍに対しても、以下の表３及び表４に示す範囲により、ふくらはぎ高のサイズ指標を設定した。
【００２８】
【表３】
2005113321.tif 000005
【００２９】
【表４】
2005113321.tif 000006
【００３０】
図２のグラフ中、「１Ｈ」「２Ｈ」「３Ｈ」の符号で示した四角枠は、上記した各サイズ指標によってカバーできる範囲を、足長サイズ毎に表したものである。図２により明らかなように、本実施例の３段階のサイズ指標を採用すれば、殆ど全ての人に対してフィット性に優れる靴下を選択してもらうことが可能となる。
【００３１】
このようにして、本実施例では、ふくらはぎ囲とふくらはぎ高について、それぞれ３段階のサイズ指標を設定した。そして、両サイズ指標の組み合わせにより、１つの足長サイズに対して、９通りの形状の異なる靴下を提供することが可能となった。
すなわち、「足長−ふくらはぎ囲−ふくらはぎ高」の順にサイズ表示をすると、例えば２５ｃｍの足長に対し、「２５−１Ｄ−１Ｈ」、「２５−１Ｄ−２Ｈ」、「２５−１Ｄ−３Ｈ」、「２５−２Ｄ−１Ｈ」、「２５−２Ｄ−２Ｈ」、「２５−２Ｄ−３Ｈ」、「２５−３Ｄ−１Ｈ」、「２５−３Ｄ−２Ｈ」、「２５−３Ｄ−３Ｈ」の９通りの形状の靴下を提供することが可能となった。
【００３２】
なお、本実施例では、靴下の開口部に、ふくらはぎ高のサイズ指標と、ふくらはぎ囲のサイズ指標を示す特定の色彩の糸を挿入するようにしている。
色彩の設定をどのようにするかは自由であるが、例えば、ふくらはぎ囲について、「１Ｄ」を青色、「２Ｄ」を赤色、「３Ｄ」を黄色とし、ふくらはぎ高について、「１Ｈ」を白色、「２Ｈ」を灰色、「３Ｈ」を柿色とした場合、顧客は、靴下の開口部に、例えば青色と灰色の糸が挿入されていれば、その靴下のサイズ指標が「２５−２Ｄ−１Ｈ」であることを、視覚的に容易に判別することができるので、好適である。
【００３３】
次に、以下の表５は、本実施例の靴下を着用した１６名のモニターに対し、靴下のずれ落ち度、フィット性について、アンケート調査をした結果をまとめたものである。なお、評価の欄は、「◎」が「殆どずれ落ちがなかった」「僅かなずれ落ちに留まった」との回答が得られたものを、「○」が「多少のずれ落ちが発生したが、フィット性はほぼ良好であった」との回答が得られたものを示している。
なお、実際には左足についてもデータを採取しているが、簡単のため、表５では右足のデータのみを表示している。
【００３４】
【表５】
2005113321.tif 000007
【００３５】
表５により、本実施例の設計方法によれば、ふくらはぎ囲及びふくらはぎ高の個人差に拘わらず、良好な結果が得られることが明らかである。
特に、従来の足長のみに基づくサイズ設計であれば、脚部が細いため、弛みや皺が生じていたと考えられる「１Ｄ」に区分される人や、逆に脚部が太いため、締め付けが強すぎたり、ふくらはぎ部まで十分に引き上げることができなかったと考えられる「３Ｄ」に区分される人に対しても、良好な結果が得られている。また、本実施例の靴下は、ふくらはぎ高の個人差もカバーしていることが明らかである。
【００３６】
なお、本実施例では、ふくらはぎ部を１×１の畦編みで編成するとともに、向こうずね部や、ふくらはぎ部の下から足首部に至る部分は、３×１の畦編みで編成する場合の例を開示したが、本発明において、ふくらはぎ部の引張寸法を、足首部の引張寸法の約１．７倍とするための手段は、実施例に開示したものに限られないことはいうまでもない。
【００３７】
すなわち、向こうずね部や、ふくらはぎ部の下から足首部に至る部分については、例えば、３×２の畦編み、２×１の畦編み、５×２の畦編みとすることも可能である。また、ふくらはぎ部の編目の度目を大きくする一方、他の部分の度目を小さくすることにより、引張寸法に差を設けても良い。
【産業上の利用可能性】
【００３８】
本発明の靴下の設計方法及び靴下は、靴下を企画、製造するメーカーや、靴下を販売する業者等によって産業上利用されるものである。
【図面の簡単な説明】
【００３９】
【図１】１０７名のサンプルの足首囲とふくらはぎ囲を実測してデータをプロットし、回帰線を求めたグラフである。
【図２】１０７名のサンプルの足長とふくらはぎ高を実測してデータプロットし、回帰線を求めたグラフである。
【符号の説明】
【００４０】
１Ｄ  細めサイズの範囲
２Ｄ  平均サイズの範囲
３Ｄ  太めサイズの範囲
１Ｈ  短めサイズの範囲
２Ｈ  平均サイズの範囲
３Ｈ  長めサイズの範囲
【図１】
2005113321.tif 000008
【図２】
2005113321.tif 000009